(57)【要約】      （修正有）【課題】風等で飛んだり、脱げ落ちることなく、安心して、また体裁良く、お洒落に被ることができ、更にはファッションを引き立たせることもできる帽子を提供する。【解決手段】帽子１は、鍔１ａの後側の下面１ｂに、ネックレス２の開放端２ａを取り付けるための取付部３を有する。ネックレスは、取付部を介して帽子に着脱自在に形成される。ネックレスの開放端は、取付部の構造に応じて適宜形状に形成するので良い。また取付部は、ネックレスをバランス良く、安定した状態で取り付けできるよう、左右一対状に設けるのが好ましいが、これに限定されるものではない。ネックレスの材質やデザインは自由である。【選択図】図１
0003218381.tif 000002
【実用新案登録請求の範囲】
【請求項１】
鍔の後側の下面に、ネックレスの開放端を取り付けるための取付部が設けられ、この取付部を介してネックレスが着脱自在に設けられていることを特徴とする帽子。
【請求項２】
請求項１記載の帽子に使用するネックレスであって、取付部に取り付けられる開放端を備え、上記の取付部を介して帽子に着脱自在に形成されていることを特徴とするネックレス。
【請求項３】
請求項２記載のネックレスであって、扁平状の飾り部分を備え、この飾り部分の裏面に、衣服の胸部に飾り部分を止め付けるための安全ピンが設けられていることを特徴とするネックレス。
【考案の詳細な説明】
【技術分野】
【０００１】
本考案は、帽子に関し、更に詳しくは風やすれ違い時の接触等で飛ばされたり、脱落するのを防止できるよう形成した帽子及びこれに使用するネックレスに関するものである。
【背景技術】
【０００２】
従来、この種の帽子としては、例えば特許文献１、同２に記載されているものが知られている。
【０００３】
特許文献１に記載の従来品は、帽子に紐が環状に取り付けられ、この環状の紐の一端を引いたり緩めたりして紐の輪の径を変え、帽子と頭との密着性を調節することで帽子の脱げ落ちを防止するよう形成されている。
【０００４】
また特許文献２の従来品は、凸湾曲状の帽子本体部分の根元周囲に、締め付けバンドが環状に取り付けられ、このバンドを締め付けたり、緩めたりして帽子の脱落を防止するものである。
【０００５】
従来品は、このように装着時に紐やバンドの調節操作が必要になるものであった。従って、従来品によると、この種の操作が煩わしく、その結果、使い勝手が悪い、という問題点があった。
【０００６】
また従来品は、紐やバンドで帽子の飛び去りや脱げ落ちを防止するため、外観や体裁が悪くなり易かった。従って、従来品によると、帽子の装飾性やファッション性を損なうおそれがある、という問題点があった。
【先行技術文献】
【特許文献】
【０００７】
【特許文献１】特開２０１３−６４２１４号公報
【特許文献２】実用新案登録第３１７８４８３号公報
【考案の概要】
【考案が解決しようとする課題】
【０００８】
本考案は、このような従来技術の問題点に鑑み、提案されたものである。
従って、本考案の解決しようとする技術的課題は、風等で飛んだり、脱げ落ちることなく、安心して、また体裁良く、お洒落に被ることができ、更にはファッションを引き立たせることもできるよう形成した帽子及びこれに使用するネックレスを提供することにある。
【課題を解決するための手段】
【０００９】
本考案は、上記の課題を解決するため、次のような技術的手段を採る。
即ち、本考案の帽子１は、図１等に示されるように、鍔１ａの後側の下面１ｂに、ネックレス２の開放端２ａを取り付けるための取付部３が設けられ、この取付部３を介してネックレス２が着脱自在に設けられていることを特徴とする（請求項１）。
【００１０】
本考案の場合、ネックレス２の開放端２ａは、通常、取付部３に輪掛けできるよう環状に形成されるのが好ましいが、これに限定されるものではなく、取付部３の構造に応じて適宜の形状に形成されているので良い。取付部３は、通常、例えば球状の天然石や、円形のボタン、或いは適宜形状の金具等で形成される。
【００１１】
また取付部３は、ネックレス２をバランス良く、安定した状態で取り付けできるよう、左右一対状に設けられているのが良いが、その他、例えば図５に示されるように、鍔１ａの後側の下面１ｂの中央に、１個だけ設けられているのでも良い。
【００１２】
また本考案の帽子１に使用するネックレス２としては、取付部３に取り付けられる開放端２ａを備え、上記の取付部３を介して帽子１に着脱自在に形成されていることを特徴とするものがある（請求項２）。
【００１３】
本考案の場合、ネックレス２の材質やデザインは自由である。開放端２ａの構造は、取付部３の形状や構造により、適宜選定されるので良い。
【００１４】
また本考案のネックレス２は、図７、図８に示されるように、扁平状の飾り部分２ｃを備え、この飾り部分２ｃの裏面に、衣服の胸部に飾り部分２ｃを止め付けるための安全ピン６が設けられているのが好ましい（請求項３）。
【００１５】
なぜならこの場合は、帽子１が脱げたとき、ネックレス２が帽子１に引きずられて後方に移動し、使用者の首を圧迫することを防止でき、安全、安心して使用できるからである。
【考案の効果】
【００１６】
本考案の帽子は、このように形成されている。
従って、本考案によれば、突風や強風等で飛んだり、脱げ落ちることを防止でき、安心して被ることができる。
【００１７】
また本考案品は、ネックレスと組み合わせることにより、形成されているから、これによれば、体裁良く、お洒落に被ることができ、ファッション性を高めることができる、という実用上優れた効果を奏する。
【００１８】
また本考案のネックレスによれば、風等で飛んだり、脱げ落ちることがない、安心して被ることができる帽子を提供できる。
またこれによれば、体裁が良くなり、お洒落さやファッション性を高めることができる帽子を提供できる。
【図面の簡単な説明】
【００１９】
【図１】本考案の好適な一実施形態を示し、Ａは斜視図、Ｂはネックレスの要部拡大正面図である。
【図２】本考案の帽子の要部正面図である。
【図３】図２のＩＩＩ―ＩＩＩ線における断面図である。
【図４】本考案品の使用状態を示す斜視図である。
【図５】本考案品の他の実施形態を示す斜視図である。
【図６】本考案品の他の実施形態を示す要部正面図である。
【図７】本考案品の更に他の実施形態を示す要部背面図である。
【図８】図７のVIII―VIII線における断面図である。
【図９】図７に示される本考案品の使用状態を示す側面図である。
【考案を実施するための形態】
【００２０】
以下、本考案の好適な一実施形態を、添付図面に従って説明する。
本考案の帽子１は、図１等に示されるように、鍔１ａの後側の下面１ｂに、ネックレス２の開放端２ａを取り付けるための取付部３が設けられている。
【００２１】
本考案品は、この取付部３を介してネックレス２が帽子１に着脱自在に設けられているものである。取付部３は、この実施形態では球状の天然石で形成され、図１Ａ、図２等に示されるように、鍔１ａの後側の下面１ｂに、左右一対状に設けられている。
【００２２】
取付部３は、図３に示されるように、貫通孔３ａを備えて形成されている。取付部３は、この貫通孔３ａに、糸４が通され、鍔１ａの表側に糸４が出ないよう鍔１ａの下面１ｂに縫い付けられている。
【００２３】
ネックレス２の開放端２ａは、図１Ｂに示されるように、この実施形態では紐やチェーン等の線状部材２ｂの端部を環状に形成することにより、取付部３に輪掛け可能に形成されている。ネックレス２は、開放端２ａが帽子１の取付部３に輪掛けされることにより、帽子１に着脱自在に形成されているものである。
【００２４】
またネックレス２は、この実施形態では飾り部分２ｃを線状部材２ｂの長手方向の中央に備え、飾り部分２ｃの両側に装飾玉２ｄが左右均等に複数繋がれて形成されている。飾り部分２ｃは、例えば天然石で扁平状に形成されている。
【００２５】
次に本考案品の使用例を説明する。
先ず使用者は、帽子１の取付部３に、ネックレス２の開放端２ａを輪掛けし、ネックレス２を、帽子１の鍔１ａの後側の下面１ｂに吊り下げる。
【００２６】
次にこの状態で、使用者は、図４に示されるように、ネックレス２の飾り部分２ｃが胸元に配置されるようネックレス２に頭を通して帽子１を被る。
而して、本考案品は、風等で帽子１が飛ばされると、ネックレス２が首に引っ掛かるため、ネックレス２によって帽子１の脱落が防止される。
【００２７】
以上の処において、本考案品の場合、上記の取付部３は、左右一対状に設けられている場合には限られない。即ち、本考案品は、図５に示されるように、鍔１ａの下面１ｂの中央に、取付部３が、例えば１個だけ設けられているのでも良い。この場合も本考案の目的を達成できるからである。
【００２８】
また本考案は、図６に示されるように、取付部３が、例えば市販のフック５で形成され、このフック５に市販のネックレス２が引っ掛けられて実現されるのでも良い。この実施形態の場合、フック５は、鍔１ａの下面１ｂの中央に糸４で縫い付けられている。
【００２９】
また本考案のネックレス２は、図７、図８に示されるように、扁平状の飾り部分２ｃを備え、この飾り部分２ｃの裏面に、衣服の胸部に飾り部分２ｃを止め付けるための安全ピン６が設けられているのでも良い。
【００３０】
飾り部分２ｃは、この実施形態では線状部材２ｂを二つ折りして吊り下げたときの最下端に連結されているが、その連結位置は任意である。安全ピン６は、この実施形態では横向きに配置され、飾り部分２ｃの裏面に接着剤で固定されている。安全ピン６の向きや固定の仕方等は、任意である。
【００３１】
この実施形態のネックレス２は、図９に示されるように、飾り部分２ｃを安全ピン６で衣服に止め付けることができる。従って、この場合は、風等で帽子１が飛ばされても、ネックレス２が後方に引っ張られることがない。それ故、これによると、ネックレス２が使用者の首を圧迫することなく、帽子１の脱落を防止できる。
【符号の説明】
【００３２】
１      帽子
１ａ    鍔
１ｂ    下面
２      ネックレス
２ａ    開放端
２ｂ    線状部材
２ｃ    飾り部分
２ｄ    装飾玉
３      取付部
３ａ    貫通孔
４      糸
５      フック
６      安全ピン
【図１】
0003218381.tif 000003
【図２】
0003218381.tif 000004
【図３】
0003218381.tif 000005
【図４】
0003218381.tif 000006
【図５】
0003218381.tif 000007
【図６】
0003218381.tif 000008
【図７】
0003218381.tif 000009
【図８】
0003218381.tif 000010
【図９】
0003218381.tif 000011